【手続補正書】
【提出日】令和1年7月16日(2019.7.16)
【手続補正１】
【補正対象書類名】明細書
【補正対象項目名】０１２２
【補正方法】変更
【補正の内容】
【０１２２】
このように、本発明の実施形態が開示される。本発明は、ある開示された実施形態を参照して記載されてきたが、開示された実施形態は、限定の目的ではなく、説明の目的のために提示され、本発明の他の実施形態が可能である。当業者は、本発明の主旨を逸脱しないで、多様な変形例、改変例、及び変更例がなされ得ることを理解するだろう。
［構成１］
骨係合部材と、
先端部と、
前記骨係合部材及び前記先端部を互いに向かって押し進めるように構成された機構と、
前記機構を作動させるように構成されたアクチュエータであって、前記機構を作動させることは、前記骨係合部材と係合された第１の骨を、前記先端部と接触する第２の骨に対して、２つ以上の面において、前記第１の骨の位置合わせを矯正するように移動させるように構成され、前記矯正は、前額面における軸線を中心とした矯正を含む、アクチュエータと、を含む、骨位置付けガイド。
［構成２］
前記機構は、本体と、前記本体の第１の端部の近位の前記本体に可動に接続されたシャフトと、を備え、
前記骨係合部材は、前記シャフトに回転可能に連結され、
前記先端部は、前記第１の端部の反対側の前記本体の第２の端部にある、構成１に記載の骨位置付けガイド。
［構成３］
前記本体の前記第１の端部は、前記シャフト及び前記骨係合部材の幾何学的中心を通って延在する軸線から横方向にオフセットされている、構成２に記載の骨位置付けガイド。
［構成４］
前記アクチュエータは、前記シャフトに連結されたノブである、構成２に記載の骨位置付けガイド。
［構成５］
前記シャフトは、ねじ山付きである、構成２に記載の骨位置付けガイド。
［構成６］
前記シャフトは、挿管を含む、構成２に記載の骨位置付けガイド。
［構成７］
前記先端部は、テクスチャ表面を含む、構成１に記載の骨位置付けガイド。
［構成８］
前記先端部は、先細形である、構成１に記載の骨位置付けガイド。
［構成９］
前記先端部は、挿入の深さを制限するための止め具を更に含む、構成１に記載の骨位置付けガイド。
［構成１０］
前記先端部は、非直線状である、構成１に記載の骨位置付けガイド。
［構成１１］
前記骨係合部材は、前記骨と係合するように構成された凹形状表面を有する、構成１に記載の骨位置付けガイド。
［構成１２］
前記凹形状表面は、Ｖ字形である、構成１１に記載の骨位置付けガイド。
［構成１３］
前記凹形状表面は、一対の側壁によって形成され、前記一対の側壁は、互いに対して非対称である、構成１１に記載の骨位置付けガイド。
［構成１４］
前記骨係合部材は、ヒトの足の第１中足骨の内側稜と係合するように構成されている、構成１に記載の骨位置付けガイド。
［構成１５］
前記骨位置付けガイドは、放射線透過材料から作製されている、構成１に記載の骨位置付けガイド。
［構成１６］
前記骨係合部材は、前記先端部から横方向にオフセットしている、構成１に記載の骨位置付けガイド。
［構成１７］
骨位置付けガイドの骨係合部材の表面を第１の骨と係合させることと、
前記骨位置付けガイドの先端部を第２の骨と接触させて配置することであって、前記第２の骨は、前記第１の骨とは異なる、ことと、
前記骨係合部材を前記先端部に対して移動させて、前記第２の骨に対する前記第１の骨の位置を変化させることと、を含む、骨を位置付ける方法。
［構成１８］
前記第１の骨は、第１中足骨であり、前記第２の骨は、第２中足骨である、構成１７に記載の方法。
［構成１９］
前記骨位置付けガイドの前記骨係合部材の前記表面を第１の骨と係合させることは、前記骨係合部材の前記表面を前記第１中足骨の内側稜と接触させて配置することを含む、構成１８に記載の方法。
［構成２０］
前記骨位置付けガイドの前記先端部を前記第２の骨と接触させて配置することは、前記骨位置付けガイドの前記先端部を前記第２中足骨の側面に接触させて配置することを含む、構成１８に記載の方法。
［構成２１］
前記骨係合部材は、前記先端部から横方向にオフセットしている、構成１７に記載の方法。
［構成２２］
前記骨係合部材の前記表面に対する前記第１の骨の半径方向位置を調節することを更に含む、構成１７に記載の方法。
［構成２３］
前記骨係合部材を前記先端部に対して移動させることは、前記骨係合部材が回転可能に連結しているシャフトを前記先端部に向かって移動させることを含む、構成１７に記載の方法。
［構成２４］
前記シャフトを移動させることは、前記シャフトに連結されたアクチュエータを回転させることを含む、構成２３に記載の方法。
［構成２５］
前記骨位置付けガイドは、本体と、前記本体の第１の端部の近位の前記本体に可動に接続されたシャフトと、を備え、
前記骨係合部材は、前記シャフトに回転可能に連結され、
前記先端部は、前記第１の端部の反対側の前記本体の第２の端部にある、構成１７に記載の方法。
［構成２６］
前記本体は、およそ９０度の第１の屈曲部と、およそ９０度の第２の屈曲部と、前記第１の屈曲部と前記第２の屈曲部とを分離する直線状本体部分と、を有し、前記第１の端部及び前記第２の端部が互いに平行であり、前記直線状本体部分によりオフセットされている、構成２５に記載の方法。
［構成２７］
本体部材と、
前記本体の第１の端部の近位の前記本体部材に可動に接続されたシャフトと、
前記シャフトに回転可能に連結された骨係合部材であって、前記骨係合部材は、骨と係合するように構成された表面を有する、骨係合部材と、
前記第１の端部の反対側の前記本体の第２の端部にある先端部と、を含む、骨位置付けガイド。
［構成２８］
前記先端部は、鋸歯状の縁部を含む、構成２７に記載の骨位置付けガイド。
［構成２９］
前記先端部は、先細形である、構成２７に記載の骨位置付けガイド。
［構成３０］
前記シャフトに連結されたノブを更に含む、構成２７に記載の骨位置付けガイド。
［構成３１］
前記シャフトは、ねじ山付きである、構成２７に記載の骨位置付けガイド。
［構成３２］
前記シャフトは、挿管を含む、構成２７に記載の骨位置付けガイド。
［構成３３］
前記先端部は、挿入の深さを制限するための止め具を更に含む、構成１に記載の骨位置付けガイド。
［構成３４］
前記骨と係合するように構成された前記表面は、凹形状である、構成２７に記載の骨位置付けガイド。
［構成３５］
前記先端部は、湾曲している、構成２７に記載の骨位置付けガイド。
【手続補正２】
【補正対象書類名】特許請求の範囲
【補正対象項目名】全文
【補正方法】変更
【補正の内容】
【特許請求の範囲】
【請求項１】
骨係合部材と、
先端部と、
前記骨係合部材及び前記先端部を互いに向かって押し進めるように構成された機構と、
前記機構を作動させるように構成されたアクチュエータであって、前記機構を作動させることは、前記骨係合部材と係合された第１の骨を、前記先端部と接触する第２の骨に対して、２つ以上の面において、前記第１の骨の位置合わせを矯正するように移動させるように構成され、前記矯正は、前額面における軸線を中心とした矯正を含む、アクチュエータと、を含む、骨位置付けガイド。
【請求項２】
前記機構は、本体と、前記本体の第１の端部の近位の前記本体に可動に接続されたシャフトと、を備え、
前記骨係合部材は、前記シャフトに回転可能に連結され、
前記先端部は、前記第１の端部の反対側の前記本体の第２の端部にある、請求項１に記載の骨位置付けガイド。
【請求項３】
前記本体の前記第１の端部は、前記シャフト及び前記骨係合部材の幾何学的中心を通って延在する軸線から横方向にオフセットされている、請求項２に記載の骨位置付けガイド。
【請求項４】
前記アクチュエータは、前記シャフトに連結されたノブである、請求項２に記載の骨位置付けガイド。
【請求項５】
前記シャフトは、ねじ山付きである、請求項２に記載の骨位置付けガイド。
【請求項６】
前記シャフトは、挿管を含む、請求項２に記載の骨位置付けガイド。
【請求項７】
前記先端部は、テクスチャ表面を含む、請求項１に記載の骨位置付けガイド。
【請求項８】
前記先端部は、先細形である、請求項１に記載の骨位置付けガイド。
【請求項９】
前記先端部は、挿入の深さを制限するための止め具を更に含む、請求項１に記載の骨位置付けガイド。
【請求項１０】
前記先端部は、非直線状である、請求項１に記載の骨位置付けガイド。
【請求項１１】
前記骨係合部材は、前記骨と係合するように構成された凹形状表面を有する、請求項１に記載の骨位置付けガイド。
【請求項１２】
前記凹形状表面は、Ｖ字形である、請求項１１に記載の骨位置付けガイド。
【請求項１３】
前記凹形状表面は、一対の側壁によって形成され、前記一対の側壁は、互いに対して非対称である、請求項１１に記載の骨位置付けガイド。
【請求項１４】
前記骨係合部材は、ヒトの足の第１中足骨の内側稜と係合するように構成されている、請求項１に記載の骨位置付けガイド。
【請求項１５】
前記骨位置付けガイドは、放射線透過材料から作製されている、請求項１に記載の骨位置付けガイド。
【請求項１６】
前記骨係合部材は、前記先端部から横方向にオフセットしている、請求項１に記載の骨位置付けガイド。